(57)【要約】【解決手段】本発明のパターン塗工装置及びその方法は、塗工材が塗布される被供給部材と、その被供給部材をベルトによりロータリースクリーンの内方に位置する塗工材供給部による供給位置に搬送し、そのロータリースクリーンは開口部がコーティングパターンに応じて連続して形成されており、その開口部と、ベルトに形成された凹部とが一致するように同期させることにより、塗工材がベルトの凹部に供給され、その状態で、前記被供給部材と前記ベルトとを押圧することを特徴とする。【効果】  塗工材がスクリーンの開口部を通じて、供給されるので、コーティングパターンに応じた塗工材の塗布が可能になる。また、塗工材が供給される位置のベルトには凹部が形成され、その凹部に粘度や粘性の高い塗工液や樹脂等の塗工材が溜まり込み、最適なパターンコーティングが可能になる。【選択図】図１
2014213279.tif 000002
【特許請求の範囲】
【請求項１】
塗工材が塗布される被供給部材と、
前記塗工材を供給する塗工材供給部と、
前記塗工材供給部と前記被供給部材との間に位置し、コーティング部分となる開口部と、非コーティング部分となる非開口部とが、コーティングパターンに応じて連続して形成されたスクリーンと、
ローラにより塗工材供給部による供給位置に移動され、コーティング部分に凹部を形成したベルトと、からなるものであって、
前記スクリーンの前記開口部と、前記ベルトの前記凹部とが一致するように同期させたことを特徴とするパターン塗工装置。
【請求項２】
前記スクリーンは、回動する円筒状のロータリースクリーンであることを特徴とする請求項１に記載のパターン塗工装置。
【請求項３】
前記塗工材供給部から前記塗工材を前記被供給部材に供給するとともに、そのコーティング状態で押圧する押圧部を有することを特徴とする請求項１、または２のいずれかに記載のパターン塗工装置。
【請求項４】
前記スクリーンの前記開口部と、前記ベルトの前記凹部との同期は、前記ベルトに制御口を複数、開口し、
前記制御口に対し、駆動ローラに形成する凸部が係合することにより、前記ベルトの移動を制御することを特徴とする請求項１、２または３のいずれかに記載のパターン塗工装置。
【請求項５】
塗工材が塗布される被供給部材を、ローラにより塗工材供給部による供給位置に移動され、コーティング部分に凹部を形成したベルトと積層状態にし、
前記塗工材供給部と前記被供給部材との間に位置し、コーティング部分となる開口部と、非コーティング部分となる非開口部とが、コーティングパターンに応じて連続して形成されたロータリースクリーンに搬送され、
回動する前記ロータリースクリーンの前記開口部と、前記ベルトの凹部とが一致するように同期させることにより、前記塗工材供給部から前記ロータリースクリーンの前記開口部を通じて、前記ベルトの前記凹部が形成された位置において、前記塗工材が前記被供給部材に供給され、
この前記塗工材が供給された状態で、前記被供給部材と前記ベルトとを押圧することを特徴とするパターン塗工方法。
【発明の詳細な説明】
【技術分野】
【０００１】
本発明は、基材に塗工材を一定のパターンで塗布するための塗工装置及び塗工方法であって、特に粘度や粘着性の高い塗工液や樹脂を用いてパターン塗工するためのものに関する。
【背景技術】
【０００２】
従来、パターン塗工するための一般的な塗工装置として、ローラに疎液性のある仕切りを設けた上で、液体を付着させてシートに転写するものがある。
（例えば特許文献１参照）。
【０００３】
また、その他の塗工方法及びその装置として、凹部を有するロール又はベルトに対してノズルから発泡性溶融体を吐出し、被塗物に転写するものもある
（例えば特許文献２参照）。
【先行技術文献】
【特許文献】
【０００４】
【特許文献１】特公昭４９−３４１８８号公報
【特許文献２】特開平２−８３０５８号公報
【発明の概要】
【発明が解決しようとする課題】
【０００５】
特許文献１、２に記載の塗工装置、転写方法では、特に粘度や粘性の高い塗工液や樹脂等の塗工材を、最適にパターンコーティングすることができなかった。すなわち、特許文献１に示す転写方法では、仕切りで囲った部分に完全に塗工液が付着せず、最適なパターンコーティングとすることができなかった。
また、特許文献２に示す転写方法は、凹部とそれ以外の部分にも塗布しており、ブレードによる凹部以外の塗布部分の掻き取りを完全に行うことができず、最適なパターンコーティングとすることができなかった。
【０００６】
そこで、本発明の目的は、パターンコーティングを最適に行うことができ、特に粘性や粘度の高い塗工液や樹脂等の塗工材についてパターンコーティングを可能にするための塗工装置、塗工方法を提供することにある。
【課題を解決するための手段】
【０００７】
本発明に係るパターン塗工装置は、塗工材が塗布される被供給部材と、前記塗工材を供給する塗工材供給部と、前記塗工材供給部と前記被供給部材との間に位置し、コーティング部分となる開口部と、非コーティング部分となる非開口部とが、コーティングパターンに応じて連続して形成されたスクリーンと、ローラにより塗工材供給部による供給位置に移動され、コーティング部分に凹部を形成したベルトと、からなるものであって、前記スクリーンの前記開口部と、前記ベルトの前記凹部とが一致するように同期させたことを特徴とするものである。
【０００８】
また、前記スクリーンは、回動する円筒状のロータリースクリーンであることが好ましい。
【０００９】
また、前記塗工材供給部から前記塗工材を前記被供給部材に供給するとともに、そのコーティング状態で押圧する押圧部を有することが好ましい。
【００１０】
また、前記スクリーンの前記開口部と、前記ベルトの前記凹部との同期は、前記ベルトに制御口を複数、開口し、前記制御口に対し、駆動ローラに形成する凸部が係合することにより、前記ベルトの移動を制御することが好ましい。
【００１１】
また、本発明のパターン塗工方法は、塗工材が塗布される被供給部材を、ローラにより塗工材供給部による供給位置に移動され、コーティング部分に凹部を形成したベルトと積層状態にし、前記塗工材供給部と前記被供給部材との間に位置し、コーティング部分となる開口部と、非コーティング部分となる非開口部とが、コーティングパターンに応じて連続して形成されたロータリースクリーンに搬送され、回動する前記ロータリースクリーンの前記開口部と、前記ベルトの凹部とが一致するように同期させることにより、前記塗工材供給部から前記ロータリースクリーンの前記開口部を通じて、前記ベルトの前記凹部が形成された位置において、前記塗工材が前記被供給部材に供給され、この前記塗工材が供給された状態で、前記被供給部材と前記ベルトとを押圧することを特徴とするものである。
【発明の効果】
【００１２】
請求項１に記載の発明により、塗工材がスクリーンの開口部を通じて、供給されるので、コーティングパターンに応じた塗工材の塗布が可能になる。また、塗工材が供給される位置のベルトには凹部が形成され、その凹部に粘度や粘性の高い塗工液や樹脂等の塗工材が溜まり込み、最適なパターンコーティングが可能になる。
【００１３】
請求項２に記載の発明により、回動するロータリースクリーンを用いることにより、開口部と非開口部とを適切にコントロールすることができ、最適なパターンコーティングが可能になる。
【００１４】
請求項３に記載の発明により、塗工材を塗布した状態で押圧することで、ベルトの凹部に溜まり込んだ塗工材が圧縮された状態となり、最適なパターンコーティングが可能になる。
【００１５】
請求項４に記載の発明により、ベルトの制御口と駆動ローラの凸部との係合によりベルトの移動を制御し、塗工材が開口部を通して供給される位置にベルトの凹部を位置することが可能になり、粘度や粘性の高い塗工液や樹脂等の塗工材を最適にパターンコーティングすることが可能になる。
【００１６】
請求項５に記載の発明により、塗工材がロータリースクリーンの開口部を通じて、供給されるので、コーティングパターンに応じた塗工材の塗布が可能になる。また、塗工材が供給される位置のベルトには凹部が形成され、この凹部に粘度や粘性の高い塗工液や樹脂等の塗工材が溜まり込み、最適なパターンコーティングが可能になる。
【図面の簡単な説明】
【００１７】
【図１】本発明の第１実施例に係る塗工装置及び塗工方法を示す概略図である。
【図２】本発明のロータリースクリーンの一例を示す斜視図である。
【図３】本発明のベルトの一例を示す部分斜視図である。
【図４】本発明のベルト、基材、塗工材の積層状態を示すものであって、（ａ）はベルトのみ、（ｂ）はベルトに基材を積層したもの、（ｃ）は（ｂ）に塗工材を塗布したもの、（ｄ）は更に基材を積層した、側面図である。
【図５】本発明の第２実施例に係る塗工装置及び塗工方法を示す概略図である。
【図６】本発明の第３実施例に係る塗工装置及び塗工方法を示す概略図である。
【図７】本発明の第４実施例に係る塗工装置及び塗工方法を示す概略図である。
【発明を実施するための形態】
【００１８】
本発明の実施の一例を図面に沿って説明する。
図１は、本発明の第一実施例に係るパターン塗工装置１及びその方法である。パターン塗工装置１は、基材２、ベルト１１、塗工材３、ロータリースクリーン２１、塗工液供給部４等から構成される。
【００１９】
第１実施例に係るパターン塗工装置１は、塗工材３を、本実施例の被供給部材である基材２に塗布（コーティング）するものであり、特に一定のパターンを形成するためのパターンコーティングを行う。基材２は、所定幅、所定長さからなる帯状材が一般的であり、その素材は紙材、合成樹脂材等、様々なものを用いることができる。
【００２０】
塗工材３は、基材２に塗布するものであり、着色溶液や金属溶液なども用いることができるが、本発明では特に粘度、粘着性の高い塗工液や樹脂自体を用いることができ、この粘度の高い塗工材３を、最適にパターンコーティングすることが可能になる。本発明における最適なパターンコーティングとは、様々な形状にコーティングをすることができ、かつ、そのパターンに応じたコーティングの精度が高いものをいう。
【００２１】
ベルト１１は、複数のローラ群に掛け渡され、そのローラ群を巡回するように移動する。本実施例におけるローラ群は、モータ等により回転力が付勢される駆動ローラ３２、駆動ローラ３２の駆動力を受けて回転するフリーローラ３３ａ、３３ｂ、３３ｃ、ベルト１１を緊張状態にするためのテンションローラ３４、押圧部となる第一押圧ローラ３５ａ、第二押圧ローラ３５ｂ、及び、ロータリースクリーン２１からなり、それぞれ所定の位置に配置される。
【００２２】
本実施例におけるローラ群は、図面上、右下にある駆動ローラ３２と、当該駆動ローラ３２に隣接する第二押圧ローラ３５ｂ、図面上、右上、左上、左下にあるフリーローラ３３ａ、３３ｂ、３３ｃ、フリーローラ３３ａ、３３ｂの間にあるテンションローラ３４、図面上、中央のロータリースクリーン２１と、当該ロータリースクリーン２１に隣接する第一押圧ローラ３５ａからなる。
【００２３】
なお、第一押圧ローラ３５ａ、第二押圧ローラ３５ｂは、直接にロータリースクリーン２１、駆動ローラ３２に直接、接触しているものではなく、ベルト１１と基材２とをはさんだ状態で互いに押し付け合っている。
【００２４】
本実施例におけるベルト１１は、駆動ローラ３２から、フリーローラ３３ａ、テンションローラ３４、フリーローラ３３ｂ、フリーローラ３３ｃ、第一押圧ローラ３５ａ、ロータリースクリーン２１を介し、駆動ローラ３２に順次、掛け渡されている。この掛け渡された状態で、駆動ローラ３２から矢印Ｂ方向に駆動力がかかり、駆動ローラ３２以外のローラ群も同様にＢ方向に回動し、これに合わせてベルト１１が巡回して移動する。
【００２５】
図１、２に示すように、ロータリースクリーン２１は、コーティング部分を開口部２２、非コーティング部分を非開口部２３として、コーティングパターンに応じた開口部２２を有する筒状部材である。本実施例におけるロータリースクリーン２１の開口部２２は、中央に現れる幅広形状のもの、その側方に位置する幅狭形状で並列しているもの、列をなす複数個の円形状のものを例示してあるが、波型、斜線形等、その他の形状であっても良く、また、これらを適宜組み合わせても良い。また、キャラクター等の絵柄や文字であっても、その通りにロータリースクリーン２１を開口すれば良い。
【００２６】
基材２は、フリーローラ３３ｃ付近から矢印Ａ方向から導入され、パターン塗工装置１のベルト１１に積層される。矢印Ｂ方向に回動するローラ群に従って、ベルト１１と積層状態となった基材２は、パターン塗工装置１を巡回して移動する。
【００２７】
塗工材供給部４は、塗工材を噴出するノズルであり、筒状のロータリースクリーン２１の内方に配置される。塗工材供給部４は、塗工材を供給するものであれば、刷毛などであっても良く、ノズルに限定されるものではない。塗工材供給部４からロータリースクリーン２１の開口部２２を介し、第一押圧ローラ３５ａと隣接する位置で、基材２に塗工材３が供給される。
【００２８】
図３に示すように、ベルト１１は、コーティング部分を凹まして凹部１２、１２とし、非コーティング部分には、凹部１２、１２が形成されないようにする。この凹部１２、１２は、所定の深さ分を凹ませたものであり、塗工材３の粘度に応じて深さを変更しても良い。この凹部１２、１２の形状は、パターンコーティングに応じて形成されるもので、本実施例以外のパターンコーティングをする場合は、そのパターンに応じた凹部１２、１２を形成すれば良い。この凹部１２、１２により塗工材３が基材２に塗布された場合、塗布されたものがベルト１１側の凹部１２、１２に入り込んで、溜まることになる。
【００２９】
図１に示すように、ベルト１１をロータリースクリーン２１に掛け渡し、このロータリースクリーン２１から離れる部分に、除却部６を配置しても良い。この除却部６は、先端が突出した部材であり、ベルト１１と基材２とが積層され、その上に塗工材３が塗布された状態（図４（ｃ）参照）で、非コーティング部分に付着した塗工液３や、コーティング部分に必要以上に塗布された塗工材３を、剥がし取ることができる。
【００３０】
ロータリースクリーン２１の内部に配置される塗工材供給部４から開口部２２を通して塗工材３が基材２に供給されるところであって、その基材２に塗工材３が供給される部分に、ベルト１１の凹部１２、１２が位置するように、ロータリースクリーン２１の回動に対応するごとくベルト１１の移動を制御する必要がある。
【００３１】
ベルト１１の移動制御は、ベルト１１の制御口１４、１４と駆動ローラ３２に形成された凸部３６、３６により行う。図３に示すように、表面から裏面にかけて、ベルト１１の幅方向両側に制御口１４、１４が連続して開口されている。駆動ローラ３２のベルト１１との接触面には凸部３６、３６（図１参照）が形成され、この凸部３６、３６と制御口１４、１４が係合する。これにより、駆動ローラ３２の回動によるベルト１１の移動を調節し、ロータリースクリーン２１の回動速度と開口部２２の位置とベルト１１の凹部１２、１２が一致するように制御することが可能になる。
【００３２】
次に、基材２へのパターンコーティング方法について説明する。
図１に示すように、矢印Ａの方向から導入された基材２はベルト１１と積層状態となる。そして、第一押圧ローラ３５ａとロータリースクリーン２１との間に搬送されると、ロータリースクリーン２１の開口部２２を通じて塗工材３が塗工材供給部４から供給される（上記で説明済）。
【００３３】
図４（ａ）に示すように、ベルト１１には、塗工材３の供給位置に凹部１２、１２が形成され、図４（ｂ）に示すように、基材２が導入されて積層状態となる。そして、図４（ｃ）に示すように、ベルト１１と基材２との積層状態から、基材２の表面に塗工材３が供給される。この状態で、第一押圧ローラ３５ａとロータリースクリーン２１の押圧により、塗工材３が供給された基材２は、ベルト１１の凹部１２、１２に対応して、ベルト１１側に入り込む。
【００３４】
塗工材３が供給された基材２は、ロータリースクリーン２１、駆動ローラ３２へと搬送される。図１に示すように、互いに押し付け合っている駆動ローラ３２と隣接する第二押圧ローラ３５ｂ付近で、矢印Ｃ方向から、第二基材５が導入され、更に積層される。この三層の積層状態となる状態を図４（ｄ）に示す。三層の積層状態から駆動ローラ３２と第二押圧ローラ３５ｂとにより押圧され、図１の矢印Ｄ方向へ最終的なパターンコーティングされた基材２を搬出することができる。
【００３５】
上記に示すパターン塗工装置１及び塗工方法によると、ロータリースクリーン２１の開口部２２から塗工材３が基材２に供給され、ベルト１１の凹部１２、１２に塗工材３が供給された状態でローラにより押圧されることで、粘度や粘着性の高い塗工材３であっても、最適なパターンコーティングが可能になる。
【００３６】
図５に示す本発明の第２実施例について説明する。
この第２実施例は、第二基材５を用いることがない点で、第１実施例と異なる。つまり、第１実施例は基材２に塗工材３を塗布した後、第２基材５を第２押圧ローラ３５ｂ付近で積層して三層にしているが、第２実施例ではこの第二基材５を用いておらず、ベルト１１と基材２との二層にした積層状態（図４（ｃ）参照）のまま、矢印Ｄの方向へ搬出する。
【００３７】
この第２実施例であっても、粘度や粘着性の高い塗工材３を用いて、基材２に最適なパターンコーティングが可能になる。
【００３８】
図６に示す本発明の第３実施例について説明する。
この第３実施例は、塗工材３を塗布する被供給部材はベルト１１であり、ベルト１１の凹部１２、１２に塗工材３を塗布し、その後に、基材２に転写させる点で、第１実施例と異なる。
【００３９】
つまり、第３実施例は、ローラ群にベルト１１が掛け渡されている点では、第１実施例と共通する。しかし、第一押圧ローラ３５ａとロータリースクリーン２１とが互いに押し付け合っている位置、すなわち塗工材供給部４から塗工液３を供給する位置では、ベルト１１に基材２が導入された積層状態ではない（図４（ａ）参照）。そのため、ベルト１１の凹部１２、１２に直接、塗工材３が供給されることになる。このベルト１１に塗工材３を塗布した状態で、ベルト１１はロータリースクリーン２１から、駆動ローラ３２へと移動する。第２押圧ローラ３５ｂは駆動ローラ３２と隣接するように配置されており、この第２押圧ローラ３５ｂに矢印Ｃの方向から基材２が供給され、駆動ローラ３２を押し付ける位置でベルト１１に塗布された塗工材３が転写され、矢印Ｄの方向へ搬出される。
【００４０】
この第３実施例の場合にも、ベルト１１の凹部１２、１２に塗工材３を塗布し、その後に基材２に転写する方法により、粘度や粘着性の高い塗工材３を用いて、基材２に最適なパターンコーティングが可能になる。
【００４１】
図７に示す本発明の第４実施例について説明する。
この第４実施例は、塗工材３をベルト１１に塗布した後に、基材２に転写させる点で、第３実施例と共通するが、その転写手段、方法が異なる。
【００４２】
本発明の第４実施例に係る塗工装置１及びその方法において、ベルト１１を掛け渡すローラ群は、駆動ローラ３２、フリーローラ３３ａ、３３ｂ、３３ｃ、テンションローラ３４、第一押圧ローラ３５ａの他、駆動ローラ３２の図面上、右側に、駆動ローラ３２と同径のフリーローラ３３ｄと、図面上、右上側にフリーローラ３３ｅが配置される。
【００４３】
第３実施例と同じく、ベルト１１の凹部１２、１２へ塗工材３が供給された後、駆動ローラ３２、フリーローラ３３ｄへ移動するが、駆動ローラ３２とフリーローラ３３ｄ間のベルト掛け渡し方向と平行になるように、ベルトコンベア３７上に基材２が矢印線Ｅの方向から導入される。
【００４４】
駆動ローラ３２とフリーローラ３３ｄ間に、エアー供給部４１を配置し、ベルト１１に対して、基材２側となる矢印Ｆの方向に、風圧がかかるようにエアーを供給すると、ベルト１１の凹部１２、１２に塗布された塗工材３が、ベルト１１から基材２側に圧着される。これにより、ローラによる圧着がなくとも、塗工材３を転写させることができ、塗工材３がコーティングされた基材２は矢印Ｇの方向から搬出される。
【符号の説明】
【００４５】
１…パターン塗工装置
２…基材
３…塗工材
４…塗工材供給部
５…第二基材
６…除却部
１１…ベルト
１２…凹部
１４…制御口
２１…ロータリースクリーン
２２…開口部
２３…非開口部
３２…駆動ローラ
３３ａ〜３３ｅ…フリーローラ
３４…テンションローラ
３５ａ、３５ｂ…押圧ローラ
３６…凸部
４１…エアー供給部
【図１】
2014213279.tif 000003
【図２】
2014213279.tif 000004
【図３】
2014213279.tif 000005
【図４】
2014213279.tif 000006
【図５】
2014213279.tif 000007
【図６】
2014213279.tif 000008
【図７】
2014213279.tif 000009